(57)【要約】【課題】原稿ガイドの移動に基づいて適切な制御を行うことができる自動原稿送り装置及び方法を提供する。【解決手段】ステップＳ１０において、原稿台に原稿がセットされたと判定されると、ステップＳ１２において、所定時間Ｔ１が経過したか否かを判定し、所定時間Ｔ１が経過していない場合は、ステップＳ１４に進み、原稿ガイドが移動したか否かを判定し、原稿ガイドが移動した場合は、ステップＳ１６に進み、所定時間Ｔ２が経過した後、ステップＳ１８で原稿台のリフトアップを開始する。【選択図】図５
2005277624.tif 000002
【特許請求の範囲】
【請求項１】
原稿を載置する原稿台と、この原稿台の少なくとも一部を昇降させる原稿台昇降手段と、前記原稿台に原稿があるか否かを検知する原稿検知手段と、前記原稿台に載置された原稿をガイドするよう移動自在の原稿ガイドと、この原稿ガイドの移動を検知する原稿ガイド検知手段と、前記原稿検知手段により原稿台に原稿があることを検知した場合、前記原稿ガイド検知手段の検知結果に応じて前記原稿台昇降手段を制御する制御手段とを有することを特徴とする自動原稿送り装置。
【請求項２】
前記制御手段は、前記原稿検知手段により原稿台に原稿があることを検知した時から所定時間経過後に前記原稿台昇降手段による原稿台の駆動を開始するよう制御することを特徴とする請求項１記載の自動原稿送り装置。
【請求項３】
前記制御手段は、前記原稿検知手段により原稿台に原稿があることを検知した時から所定時間経過するまでは前記原稿台昇降手段による原稿台の駆動を禁止するよう制御することを特徴とする請求項１記載の自動原稿送り装置。
【請求項４】
前記制御手段は、前記原稿検知手段により原稿台に原稿があることを検知した時から所定時間経過するまでの間、前記原稿ガイドの移動を監視するよう制御することを特徴とする請求項１記載の自動原稿送り装置。
【請求項５】
前記制御手段は、前記原稿ガイド検知手段により原稿ガイドの移動を検知した時から所定時間経過後に前記原稿台昇降手段による原稿台の駆動を開始するよう制御することを特徴とする請求項４記載の自動原稿送り装置。
【請求項６】
前記制御手段は、前記原稿ガイド検知手段により原稿ガイドの移動を検知した時から所定時間経過するまでは前記原稿台昇降手段による原稿台の駆動を禁止するよう制御することを特徴とする請求項４記載の自動原稿送り装置。
【請求項７】
前記制御手段は、前記原稿台昇降手段の駆動を開始した時から終了するまでの間、前記原稿ガイドの移動を監視するよう制御することを特徴とする請求項１記載の自動原稿送り装置。
【請求項８】
前記制御手段は、前記原稿ガイド検知手段により原稿ガイドの移動を検知した時から所定時間経過後に前記原稿台昇降手段による原稿台の駆動を再開するよう制御することを特徴とする請求項７記載の自動原稿送り装置。
【請求項９】
前記制御手段は、前記原稿ガイド検知手段により原稿ガイドの移動を検知した時から所定時間経過するまでは前記原稿台昇降手段による原稿台の駆動を禁止するよう制御することを特徴とする請求項７記載の自動原稿送り装置。
【請求項１０】
原稿を載置する原稿台と、この原稿台の原稿をピックアップするピックアップロールと、前記原稿台に載置された原稿をガイドするよう移動自在の原稿ガイドと、この原稿ガイドの移動を検知する原稿ガイド検知手段と、この原稿ガイド検知手段の検知結果に応じて前記ピックアップロールを制御する制御手段とを有することを特徴とする自動原稿送り装置。
【請求項１１】
前記ピックアップロールを昇降させるピックアップロール昇降手段を有し、前記制御手段は、前記ピックアップロール昇降手段を制御することを特徴とする請求項１０記載の自動原稿送り装置。
【請求項１２】
前記ピックアップロールを回転させるピックアップロール回転手段を有し、前記制御手段は、前記ピックアップロール回転手段を制御することを特徴とする請求項１０記載の自動原稿送り装置。
【請求項１３】
原稿を載置する原稿台と、この原稿台の原稿のサイズを検知する原稿サイズ検知手段と、前記原稿台に載置された原稿をガイドするよう移動自在の原稿ガイドと、この原稿ガイドの移動を検知する原稿ガイド検知手段と、この原稿ガイド検知手段の検知結果に応じて前記原稿サイズ検知手段の有効、無効を制御する制御手段とを有することを特徴とする原稿送り装置。
【請求項１４】
原稿が原稿台に載置されたことを検知した場合、前記原稿台に載置された原稿をガイドする原稿ガイドの移動を監視し、前記原稿ガイドの移動に基づいて前記原稿台の昇降を制御することを特徴とする自動原稿送り方法。
【請求項１５】
原稿が原稿台に載置されたことを検知した場合、前記原稿台に載置された原稿をガイドする原稿ガイドの移動を監視し、前記原稿ガイドの移動に基づいて前記原稿台の原稿をピックアップするピックアップロールを制御することを特徴とする自動原稿送り方法。
【請求項１６】
原稿が原稿台に載置されたことを検知した場合、前記原稿台に載置された原稿をガイドする原稿ガイドの移動を監視し、前記原稿ガイドの移動に基づいて前記原稿台上の原稿サイズ検知の有効、無効を制御することを特徴とする自動原稿送り方法。
【発明の詳細な説明】
【技術分野】
【０００１】
本発明は、例えばデジタル複写機、スキャナ、ファクシミリ等の画像形成装置に用いられる自動原稿送り装置及び方法に関するものである。
【背景技術】
【０００２】
この種の自動原稿送り装置は、原稿台に原稿を載置し、この載置された原稿をピックアップロールによりピックアップし、さらに搬送装置により原稿読取部へ搬送し、この原稿読取部で原稿を読み取るようになっている。原稿台に原稿が載置されると、原稿台を自動的に上昇させて最上位の原稿先端部分をピックアップロールに接触させたり、あるいはピックアップロールを自動的に下降させて最上位の原稿先端部分をピックアップロールに接触させたりすることは公知である。
【０００３】
このような自動原稿送り装置においては、原稿台の上昇タイミングあるいはピックアップロールの下降タイミングが問題となる。従来例の一つとして、ファーストコピー時間を早くするために原稿台に原稿が載置された後直ちに原稿台を上昇させるモードと、オペレータが原稿の載置状態を確認できるようにするために原稿台に原稿が載置された後、スタートボタンが押されたことにより、原稿台を上昇させるモードとを選択できるようにしたものが知られている（特許文献１参照）。また、他の従来例として、画像形成装置本体側での動作可能状態が確認されてから原稿台を上昇させるようにしたものが知られている（特許文献２参照）。
【０００４】
【特許文献１】特開平１１−２３７７７０号公報
【特許文献１】特開２０００−５３２５５号公報
【発明の開示】
【発明が解決しようとする課題】
【０００５】
しかしながら、原稿が載置された後直ちに原稿台を上昇させるようにした場合は、例えばオペレータが原稿ガイドを動かして原稿束に原稿ガイドを合わせようとしている最中に原稿台が上昇するため、オペレータに対して使い勝手が悪い印象を与えるし、原稿束を整列させることができず、給紙動作に不具合（ジャム等）を発生させるおそれがある。一方、スタートボタンを押したり、画像形成装置本体側での動作可能状態を確認した後に原稿台を上昇させるようにした場合は、原稿を最初に送るまでの時間が長くなる。
【０００６】
本発明は、特に原稿ガイドの移動に着目し、原稿ガイドの移動に基づいて適切な制御を行うことができる自動原稿送り装置及び方法を提供することを目的としている。
【課題を解決するための手段】
【０００７】
本発明の第１の特徴とするところは、原稿を載置する原稿台と、この原稿台の少なくとも一部を昇降させる原稿台昇降手段と、前記原稿台に原稿があるか否かを検知する原稿検知手段と、前記原稿台に載置された原稿をガイドするよう移動自在の原稿ガイドと、この原稿ガイドの移動を検知する原稿ガイド検知手段と、前記原稿検知手段により原稿台に原稿があることを検知した場合、前記原稿ガイド検知手段の検知結果に応じて前記原稿台昇降手段を制御する制御手段とを有する自動原稿送り装置にある。
【０００８】
好ましくは、前記制御手段は、前記原稿検知手段により原稿台に原稿があることを検知した時から所定時間経過後に前記原稿台昇降手段による原稿台の駆動を開始するよう制御する。
【０００９】
また、好ましくは、前記制御手段は、前記原稿検知手段により原稿台に原稿があることを検知した時から所定時間経過するまでは前記原稿台昇降手段による原稿台の駆動を禁止するよう制御する。
【００１０】
また、好ましくは、前記制御手段は、前記原稿検知手段により原稿台に原稿があることを検知した時から所定時間経過するまでの間、前記原稿ガイドの移動を監視するよう制御する。
【００１１】
ここで、好ましくは、前記制御手段は、前記原稿ガイド検知手段により原稿ガイドの移動を検知した時から所定時間経過後に前記原稿台昇降手段による原稿台の駆動を開始するよう制御する。
【００１２】
また、ここで、前記制御手段は、前記原稿ガイド検知手段により原稿ガイドの移動を検知した時から所定時間経過するまでは前記原稿台昇降手段による原稿台の駆動を禁止するよう制御する。
【００１３】
また、好ましくは、前記制御手段は、前記原稿台昇降手段の駆動を開始した時から終了するまでの間、前記原稿ガイドの移動を監視するよう制御する。
【００１４】
ここで、前記制御手段は、前記原稿ガイド検知手段により原稿ガイドの移動を検知した時から所定時間経過後に前記原稿台昇降手段による原稿台の駆動を再開するよう制御する。
【００１５】
また、ここで、前記制御手段は、前記原稿ガイド検知手段により原稿ガイドの移動を検知した時から所定時間経過するまでは前記原稿台昇降手段による原稿台の駆動を禁止するよう制御する。
【００１６】
本発明の第２の特徴とするところは、原稿を載置する原稿台と、この原稿台の原稿をピックアップするピックアップロールと、前記原稿台に載置された原稿をガイドするよう移動自在の原稿ガイドと、この原稿ガイドの移動を検知する原稿ガイド検知手段と、この原稿ガイド検知手段の検知結果に応じて前記ピックアップロールを制御する制御手段とを有する自動原稿送り装置にある。
【００１７】
好ましくは、前記ピックアップロールを昇降させるピックアップロール昇降手段を有し、前記制御手段は、前記ピックアップロール昇降手段を制御する。
【００１８】
また、好ましくは、前記ピックアップロールを回転させるピックアップロール回転手段を有し、前記制御手段は、前記ピックアップロール回転手段を制御する。
【００１９】
本発明の第３の特徴とするところは、原稿を載置する原稿台と、この原稿台の原稿のサイズを検知する原稿サイズ検知手段と、前記原稿台に載置された原稿をガイドするよう移動自在の原稿ガイドと、この原稿ガイドの移動を検知する原稿ガイド検知手段と、この原稿ガイド検知手段の検知結果に応じて前記原稿サイズ検知手段の有効、無効を制御する制御手段とを有する原稿送り装置にある。
【００２０】
本発明の第４の特徴とするところは、原稿が原稿台に載置されたことを検知した場合、前記原稿台に載置された原稿をガイドする原稿ガイドの移動を監視し、前記原稿ガイドの移動に基づいて前記原稿台の昇降を制御する自動原稿送り方法にある。
【００２１】
本発明の第５の特徴とするところは、原稿が原稿台に載置されたことを検知した場合、前記原稿台に載置された原稿をガイドする原稿ガイドの移動を監視し、前記原稿ガイドの移動に基づいて前記原稿台の原稿をピックアップするピックアップロールを制御する自動原稿送り方法にある。
【００２２】
本発明の第６の特徴とするところは、原稿が原稿台に載置されたことを検知した場合、前記原稿台に載置された原稿をガイドする原稿ガイドの移動を監視し、前記原稿ガイドの移動に基づいて前記原稿台上の原稿サイズ検知の有効、無効を制御する自動原稿送り方法にある。
【発明を実施するための最良の形態】
【００２３】
次に本発明の実施形態について説明する。
図１において、画像形成装置１０の概要が示されている。画像形成装置１０は例えばカラー用のもので、画像形成部１２と、原稿読取装置１４とを有する。画像形成部１２は、例えばゼログラフィ方式のもので、シートが積載された給紙トレイ１６を有し、この給紙トレイ１６からシート搬送路２０に供給されたシートに画像を形成するようになっている。
【００２４】
即ち、画像形成部１２は、感光体２２と、この感光体２２を一様に帯電する帯電器２４と、この帯電器２４により一様に帯電された感光体２２に潜像を形成する露光装置２６と、この露光装置２６により形成された感光体２２上の潜像をトナーで可視化する現像装置２８と、この現像装置２８により形成されたトナー像を中間転写ベルト３０に転写する一次転写装置３２と、感光体２２に残ったトナーをクリーニングする感光体クリーナ３４とを有する。露光装置２６は、例えばレーザ走査方式のもので、後述する原稿読取装置１４の読取センサ５８で読み取った原稿の画像をレーザのオンオフ信号に変えて出力する。現像装置２８は、例えばロータリ式のもので、Ｙ，Ｍ，Ｃ，Ｋ４色の現像器３６ａ，３６ｂ，３６ｃ，３６ｄが周囲に配置され、各色を現像するときに感光体２２に対峙するよう回転する。一次転写装置３２は例えばコロトロンから構成され、この転写装置３２により４色のトナー像が中間転写ベルト３０に転写される。中間転写ベルト３０に転写されたトナー像は、二次転写装置３８によりシートに転写され、このシートが定着装置４０に送られ、この定着装置４０によりトナー像がシートに定着され、このトナー像が定着されたシートが排出トレイ４２に排出される。中間転写ベルト３０に残ったトナーは中間転写ベルトクリーナ４４により掻き落される。
【００２５】
シート搬送路２０には、レジストロール４６が配置されている。このレジストロール４６は、供給されたシートを一時停止させ、中間転写ベルト３０にトナー像が形成されるタイミングと同期してシートを二次転写装置３８にシートを供給するように制御される。
【００２６】
原稿読取装置１４は、原稿を光学的に読み取る光学系４８と、自動原稿送り装置５０とを有する。
光学系４８は、原稿に光を照射するランプ５２と、原稿からの光を反射する反射ミラー５４ａ，５４ｂ，５４ｃと、この反射ミラー５４ａ〜５４ｃからの光を収束させるレンズ５６と、このレンズ５６により収束した光を読み取る読取センサ５８とを有する。読取センサ５８は例えばＣＣＤから構成されている。この光学系４８は、反射ミラー５４ａ〜５４ｃ等を端部付近に設けられた読取部固定して後述する自動原稿送り装置５０により送られた原稿を流し読みする機能と、反射ミラー５４ａ〜５４ｃ等を走査して原稿台ガラス６０上に載置された原稿を読み取る機能とを備えている。
【００２７】
自動原稿送り装置５０は、多数の原稿が載置される原稿台６２と、原稿を搬送する原稿搬送路６４と、画像を読み取った後の原稿が排出される排出台６６とを有する。
【００２８】
図２及び図３において、自動原稿送り装置５０の詳細が示されている。原稿搬送路６４は、主搬送部６８と反転部７０とを有する。主搬送部６８はＵ字状に形成され、搬送装置を構成するピックアップロール７２、フィードロール７４、プリレジストロール７６、レジストロール７８、アウトロール８０及び排出ロール８２とが設けられている。ピックアップロール７２は、原稿送り時に下降し、原稿台６２に載置された原稿をピックアップする。フィードロール７４は、ピックアップロール７２から送られた原稿を捌き、最上部にある原稿のみを供給する。プリレジストロール７６は、フィードロール７４から送られた原稿を一時停止させてループを形成し、斜行補正をするようになっている。レジストロール７８は、プリレジストロール７６から送られた原稿を一時停止させ、読み取りタイミングを採るようにする。原稿を排出する場合は、排出ロール８２を正転させ、アウトロール８０及び排出ロール８２を介して排出台６６へ排出する。
【００２９】
反転部７０は、一端がアウトロール８０と排出ロール８２との間で主搬送部６８に接続され、他端がプリレジストロール７６で主搬送部６８に接続されている。反転部７０の一端付近には反転ゲート８４が設けられており、原稿を反転させる場合は、原稿の後端が排出ロール８２付近まで到達した段階で排出ロール８２を逆転させ、反転ゲート８４が下方に位置することで原稿を反転部７０に導くようにする。この反転ゲート８４は、原稿の押圧力で開き、反転ゲート８４の自重で閉じるようにしてもよいし、反転ゲート８４を開閉するアクチュエータを設けてもよい。
【００３０】
読取部８６は、レジストロール７８とアウトロール８０との間にあって、プラテンガラス８８を有し、このプラテンガラス８８に原稿を押し付け、原稿読み取り位置で原稿が読み取られるようになっている。
【００３１】
前述した原稿台６２は、本体部９６とこの本体部９６に対して揺動自在の昇降部９８とから構成されている。昇降部９８は、原稿台６２の先端部分をピックアップロール７２に向けて上下動する。
なお、この実施形態においては、原稿台６２の昇降部９８のみを動かすようにしたが、原稿台６２の全体を上下動させるようにしてもよい。
【００３２】
原稿台６２の昇降部９８の先端側には、突き当て部材９０が設けられていると共に、側部には、対をなす原稿ガイド１００ａ，１００ｂが設けられている。この原稿ガイド１００ａ，１００ｂは、連動機構１０２を介して互いに連動して原稿の主走査方向に移動し、原稿をセンタで位置決めするようにしてある。連動機構１０２は、ラック１０４ａ，１０４ｂと、このラック１０４ａ，１０４ｂに噛み合うピニオン１０６とから構成されている。即ち、ラック１０４ａ，１０４ｂは、原稿台６２の裏面において原稿ガイド１００ａ，１００ｂに固定され、原稿台６２に形成された溝（図示せず）に沿って摺動する。ピニオン１０６は、原稿台６２の裏面において原稿台６２に回動自在に取り付けられている。したがって、いずれか１つの原稿ガイド１００ａ，１００ｂを動かすと、一方のラック１０４ａ，１０４ｂを介してピニオン１０６を回転させ、他方のラック１０４ａ，１０４ｂを介して他方の原稿ガイド１００ａ，１００ｂを一方の原稿ガイド１００ａ，１００ｂへ原稿台６２のセンタを中心に近付けるか又は遠ざけるかのいずれか一方に移動させる。
【００３３】
原稿台６２には、原稿ガイド１００ａ，１００ｂの略中央に原稿センサ１０８が設けられている。この原稿センサ１０８は、例えばフォトインタラプタから構成され、原稿台６２に原稿が載置されたか否かを検出するようになっている。また、前述したピニオン１０６には、例えばポテンショメータからなる原稿ガイドセンサ１１０が設けられている。この原稿ガイドセンサ１１０は、原稿ガイド１００ａ，１００ｂの位置を検知することにより主走査方向の原稿サイズを検知すると共に、前回検知した位置と現在位置との差により原稿ガイド１００ａ，１００ｂが移動したか否かを検知する。さらに、原稿台６２には原稿サイズ検出手段を構成するサイズセンサ１１２ａ，１１２ｂが設けられている。このサイズセンサ１１２ａ，１１２ｂは、例えば例えばフォトインタラプタから構成され、原稿の副走査方向のサイズを検知する。また、原稿台６２の先端近傍にはリフトセンサ１１４が設けられており、このリフトセンサ１１４は、原稿台６２が所定位置、即ち、原稿台６２に載置されている最上位の原稿が原稿搬送位置まで上昇したか否かを検知する。
【００３４】
前述した原稿台６２の昇降部９８は、原稿台昇降手段を構成する第１のモータ１１６により昇降される。また、前述したピックアップロール７２は、ピックアップ昇降手段を構成する第２のモータ１１８により昇降され、リフトセンサ１１４により原稿台６２が所定位置に上昇するのと合わせて下降し、原稿台６２に載置された最上位の原稿にピックアップロール７２が接触するように駆動する。また、ピックアップロール７２を回転駆動させる第３のモータ１２０が設けられている。
なお、この実施形態においては、原稿台６２を昇降させると共に、ピックアップロール７２を昇降させるようにしているが、他の実施形態として、原稿台６２又はピックアップロール７２のいずれか一方のみを駆動させ、他方は位置を固定するようにしてもよい。
【００３５】
図４において、自動原稿送り装置５０を制御する制御装置の一例が示されている。制御回路１２２は例えばＣＰＵから構成されており、この制御回路１２２には、原稿センサ１０８、原稿ガイドセンサ１１０、原稿サイズセンサ１１２ａ，１１２ｂ及びリフトセンサ１１４からの検知信号が入力される。また、この制御回路１２２には、タイマ１２４が接続されている。そして、制御回路１２２は、第１のモータ１１６、第２のモータ１１８及び第３のモータ１２０の駆動を制御する。
【００３６】
次に上記実施形態に係る制御回路１２２の制御フローを図５及び図６を参照して説明する。
まずステップＳ１０において、原稿センサ１０８からの出力に基づいて、原稿台６２に原稿がセット（載置）されているか否かを判定し、原稿台６２に原稿がセットされるまで待機する。原稿が原稿台６２にセットされていない初期状態にあっては、原稿台６２には下端位置にあり、ピックアップロール６２の上端位置にある。原稿６２に原稿がセットされると、原稿センサ１０８からは原稿がセットされた旨の信号が出力され、次のステップＳ１２へ進む。
【００３７】
次のステップＳ１２においては、タイマ１２４にセットされた所定時間Ｔ１が経過したか否かを判定する。所定時間Ｔ１が経過していないと判定された場合は、次のステップＳ１４に進む。このステップＳ１４においては、原稿ガイドセンサ１０８からの出力に基づいて原稿ガイド１００ａ，１００ｂが移動したか否かを判定し、移動していないと判定された場合はステップＳ１０へ戻る。即ち、ステップＳ１２とステップＳ１４とにより、原稿台６２に原稿がセットされた時から所定時間Ｔ１が経過するまで原稿ガイド１００ａ，１００ｂが移動したか否かを監視していることになる。
【００３８】
次のステップＳ１４において、原稿ガイド１００ａ，１００ｂが移動したと判定された場合は、次のステップＳ１６へ進む。このステップＳ１６においては、タイマ１２４にセットされた所定時間Ｔ２が経過したか否かを判定する。前述したステップＳ１２において、所定時間Ｔ１が経過したと判定された場合、又はステップＳ１６において、所定時間Ｔ２が経過したと判定された場合は、ステップＳ１８へ進み、第１のモータ１１６及び第２のモータ１１８に出力して原稿台６２の昇降部９８を上昇を開始させると共に、ピックアップロール６２の下降を開始する。即ち、ステップＳ１２で所定時間Ｔ１が経過するまで、又はステップＳ１６で所定時間Ｔ２が経過するまでは、原稿台６２の上昇動作及びピックアップロール６２の下降動作は禁止される。
【００３９】
次のステップＳ２０においては、リフトセンサ１１４の出力に基づいて原稿台６２の上昇が終了したか否かを判定する。このステップＳ２０において、原稿台６２の上昇が終了していないと判定された場合は、次のステップＳ２２に進む。このステップＳ２２においては、原稿ガイドセンサ１０８からの出力に基づいて原稿ガイド１００ａ，１００ｂが移動したか否かを判定し、移動していないと判定された場合はステップＳ２０へ戻る。即ち、ステップＳ２０とステップＳ２２とにより、原稿台６２の上昇が開始されてから終了するまでの間、原稿ガイド１００ａ，１００ｂが移動したか否かを監視していることになる。
【００４０】
ステップＳ２２において、原稿ガイド１００ａ，１００ｂが移動したと判定された場合は、次のステップＳ２４に進み、原稿台６２の上昇動作及びピックアップロール６２の下降動作は停止される。次のステップＳ２６においては、タイマ１２４にセットされた所定時間Ｔ３が経過したか否かを判定し、所定時間Ｔ３が経過するまで待機する。即ち、所定時間Ｔ３が経過するまでは、原稿台６２の上昇動作及びピックアップロール６２の下降動作は禁止されることになる。ステップＳ２６において、所定時間Ｔ３が経過したと判定された場合は、次のステップＳ２８に進み、原稿台６２の上昇動作及びピックアップロール６２の下降動作を再開し、ステップＳ２０へ戻る。
【００４１】
ステップＳ２０において、リフトセンサ１１４からの出力に基づいて原稿台６２が所定位置まで上昇したと判定された場合は、次のステップＳ３０へ進み、第３のモータ１２０の駆動を許可し、処理を終了する。そして、画像形成装置本体側から画像形成開始信号を受けることにより第３のモータ１２０を駆動し、原稿の搬送を開始するものである。
【００４２】
なお、上記実施形態において、タイマ１２４にセットされた所定時間Ｔ１，Ｔ２，Ｔ３は制御回路１２２からの出力により、又は手動によりそれぞれの値を変更することができる。また、所定時間Ｔ１，Ｔ２，Ｔ３のそれぞれの値は異なってもよいし、同一であってもよい。
【００４３】
図７において、本発明に係る他の実施形態が示されている。この実施形態は、前述した実施形態と比較すると、ステップＳ１０，１２，１４，１６の処理は同様である。ステップＳ１０において、所定時間Ｔ１が経過したと判定された場合、又はステップＳ１６において、所定時間Ｔ２が経過したと判定された場合はステップＳ３２へ進み、原稿ガイドセンサ１１０及び原稿サイズセンサ１１２ａ，１１２ｂによる原稿サイズ検知を有効にする。原稿台６２に原稿がセットされた時から所定時間Ｔ１が経過するまでは原稿ガイド１００ａ，１００ｂが移動される可能性があり、一度原稿ガイド１００ａ，１００ｂが移動された時から所定時間Ｔ２が経過するまでは再度原稿ガイド１００ａ，１００ｂが移動される可能性があるので、所定時間Ｔ１又はＴ２が経過する前に原稿ガイドセンサ１１０及び原稿サイズセンサ１１２ａ，１１２ｂによる原稿サイズ検知を確定すればサイズ情報を誤る可能性があるためである。
【図面の簡単な説明】
【００４４】
【図１】本発明の実施形態に係る画像形成装置を示す側面図である。
【図２】本発明の実施形態に係る自動原稿送り装置を示す側面図である。
【図３】本発明の実施形態に係る自動原稿送り装置の原稿台を示す平面図である。
【図４】本発明の実施形態に係る自動原稿送り装置に用いた制御装置を示すブロック図である。
【図５】本発明の実施形態の作動を示す第１のフローチャートである。
【図６】本発明の実施形態の作動を示す第２のフローチャートである。
【図７】本発明の他の実施形態の作動を示すフローチャートである。
【符号の説明】
【００４５】
１０  画像形成装置
１２  画像形成部
１４  画像読取装置
５０  自動原稿送り装置
６２  原稿台
７２  ピックアップロール
１００ａ，１００ｂ  原稿ガイド
１０２  連動機構
１０８  原稿センサ
１１０  原稿ガイドセンサ
１１２ａ，１１２ｂ  原稿サイズセンサ
１１４  リフトセンサ
１１６  第１のモータ
１１８  第２のモータ
１２０  第３のモータ
１２２  制御回路
１２４  タイマ
【図１】
2005277624.tif 000003
【図２】
2005277624.tif 000004
【図３】
2005277624.tif 000005
【図４】
2005277624.tif 000006
【図５】
2005277624.tif 000007
【図６】
2005277624.tif 000008
【図７】
2005277624.tif 000009